(57)【要約】【課題】汚れにたいする高い洗浄性を有すると共に、高い耐久性を有し、迅速かつ的確に被洗浄面の汚れを洗浄することができる洗浄ブラシを提供する。【解決手段】回転軸の外周部に複数のブラシ片が形成されてある自動車用、路面用、鋼板用の洗浄ブラシあるいは鋼板等の研磨、バリ取り加工用に使用する洗浄ブラシにおいて、前記ブラシ片は、天然繊維糸あるいは合成繊維糸よりなる芯体、及び熱可塑性樹脂あるいは熱硬化性樹脂よりなる被覆体より形成されてあると共に、前記ブラシ片は、押出し成形にて形成されてあるものである。【選択図】          図１
2004154519.tif 000002
【特許請求の範囲】
【請求項１】
回転軸の外周部に複数のブラシ片が形成されてある自動車用、路面用、鋼板用の洗浄ブラシあるいは鋼板等の研磨、バリ取り加工用に使用する洗浄ブラシにおいて、前記ブラシ片は、天然繊維糸あるいは合成繊維糸よりなる芯体、及び熱可塑性樹脂あるいは熱硬化性樹脂よりなる被覆体より形成されてあると共に、前記ブラシ片は、押出し成形にて形成されてあることを特徴とする自動車用、路面用、鋼板用の洗浄ブラシあるいは鋼板等の研磨、バリ取り加工用に使用する洗浄ブラシ。
【発明の詳細な説明】
【０００１】
【発明の属する技術分野】
本発明は、自動車用、路面用、鋼板用の洗浄ブラシあるいは鋼板等の研磨、バリ取り加工用に使用する洗浄ブラシに関するものである。
【０００２】
【従来の技術】
従来、回転軸の外周部に複数のブラシ片が形成されてある自動車用洗浄ブラシに関しては、さまざまな改良がなされてあり、例えば、特開平１０−２１２６６２号の如く、合成繊維糸条束に、熱可塑性樹脂が含浸されてあり、且つ該熱可塑性樹脂中に、研磨材が含まれてある洗浄ブラシ用材料を形成する技術が、開示されてある。
【０００３】
また、例えば、特表２００１−５０６１７４号の如く、ポリエステルＰＢＴ又はポリウレタン又は熱可塑性ポリウレタンエラストマーから成る自動洗車の洗浄ブラシ用プラスチック毛体を形成する技術が、開示されてある。
【０００４】
【発明が解決しようとする課題】
従来の洗浄ブラシにおいては、前記の如く、合成繊維糸条束に、熱可塑性樹脂を含浸させることにより、耐久性を向上させたり、ポリエステルＰＢＴ等の特定の材質を使用することにより、洗浄性を向上させている。しかしながら、前記の構成によれば、洗浄ブラシの耐久性あるいは洗浄性は、合成繊維糸条束あるいはポリエステルＰＢＴ等の特定の材質が有する性能のみにより、決定されてしまっていた。その為、洗浄ブラシの耐久性あるいは洗浄性が、特定の材質が有する性能のみにより決定されることなく、汚れにたいする高い洗浄性を有すると共に、高い耐久性を有し、迅速かつ的確に被洗浄面の汚れを洗浄することができる洗浄ブラシが求められていた。
【０００５】
【課題を解決するための手段】
本発明は、次のように構成したものである。
（１）回転軸の外周部に複数のブラシ片が形成されてある自動車用、路面用、鋼板用の洗浄ブラシあるいは鋼板等の研磨、バリ取り加工用に使用する洗浄ブラシにおいて、前記ブラシ片は、天然繊維糸あるいは合成繊維糸よりなる芯体、及び熱可塑性樹脂あるいは熱硬化性樹脂よりなる被覆体より形成されてあると共に前記ブラシ片は、押出し成形にて形成されてあるものである。
【０００６】
【発明の実施の形態】
図１から図３に実施の形態を示す。図１は本発明の洗浄ブラシを前面側から見た斜視図である。図１において、１は洗浄ブラシ、２は芯体、３は被覆体である。図２は図１の洗浄ブラシの断面図である。図３は、図１の洗浄ブラシの製造方法を示す斜視図である。図３において、１０は押出し成形装置である。
【０００７】
本発明の洗浄ブラシにおいて、芯体２は、天然繊維糸あるいは合成繊維糸より形成されてある。芯体２に使用する天然繊維としては例えば、綿、絹等であり、合成繊維としては例えば、ナイロン６、ナイロン６６、ナイロン６１０などのポリアミド繊維、ポリエチレン、ポリプロピレンなどのポリオレフィン繊維、ポリエチレンテレフタレート、ポリブチレンテレフタレートなどのポリエステル繊維、ポリ塩化ビニル、ポリフッ化ビニリデンなどのポリハロゲン化ビニル繊維、ポリウレタン繊維、各種導電繊維等である。また、被覆体３は、熱可塑性樹脂あるいは熱硬化性樹脂より形成されてある。熱可塑性樹脂としては例えば、ポリエチレン樹脂、ポリプロピレン樹脂、ポリ塩化ビニル樹脂、ポリスチレン樹脂、アクリロニトリルスチレン樹脂、ポリビニルアルコール樹脂、エチレンビニルアセテート樹脂、熱可塑性エラストマー、各種エンジニアリングプラスチックとしてのポリアミド樹脂、ポリアセタール樹脂、フッ素樹脂などであり、熱硬化性樹脂としては例えば、エポキシ樹脂、不飽和ポリエステル樹脂、フェノール樹脂、ポリウレタン樹脂、シリコーン樹脂、耐熱性樹脂、光硬化性樹脂等である。
【０００８】
また、洗浄ブラシ１は、図２の如く、略長円形状の断面を有する被覆体３の内部に、略円形状の断面を有する複数の芯体２が形成されてある。また、洗浄ブラシ１は、図３の如く、押出し成形装置１０の先端から押し出されて形成されてあり、この製造方法は、一般には、押出し成形と呼ばれている。
【０００９】
本発明の実施の形態の洗浄ブラシは、上記の如くの構成となっているので、洗浄ブラシ１の使用時においては、熱可塑性樹脂あるいは熱硬化性樹脂よりなる被覆体３が、被洗浄面にたいして接触する。洗浄ブラシ１は、被覆体３の内部に、複数の芯体２が形成されてある為、被覆体３に使用されてある材質の有する耐久性や洗浄性にたいして、芯体２に使用されてある材質の有する強度等が加えられることにより、被覆体３のみにて形成した場合の洗浄ブラシに比べて、より高い強度が得られると共に、耐久性や洗浄性も向上させることができる。また、被覆体３が劣化することにより芯体２が外部に露出した場合や、例えば、芯体２の先端を所定の長さだけ外部に露出させて製作した場合には、芯体２の先端部が、先割れ形状に形成されることにより、被洗浄面にたいして、洗浄ブラシを柔らかく接触させて使用することができる。また、芯体２及び被覆体３に使用されてある材質を、洗浄ブラシの使用目的に応じて、適時、設定することにより、芯体２及び被覆体３の材質が有する長所や短所を、互いに補い合って、より強度が高く、かつ耐久性や洗浄性も高い洗浄ブラシを製作することができる。さらにまた、芯体２の材質として、導電繊維を使用した場合には、洗浄ブラシの使用時に、被洗浄面に発生した静電気を除去することができ、洗浄性を向上させることができる。
【００１０】
本発明の実施の形態の洗浄ブラシは、上記の如くの構成となっているが、芯体に使用する繊維は、複数の種類の繊維を混合して使用しても、何ら支障は無い。また、被覆体に使用する熱可塑性樹脂あるいは熱硬化性樹脂には、例えば、紫外線劣化防止剤、帯電防止剤、難燃剤等の添加剤を添加して使用しても、何ら支障は無い。
【００１１】
次に、図４から図８に実施の形態の他の実施例を示す。図４から図８は本発明の他の実施例の洗浄ブラシの断面図である。図４から図８において、１１、２１、３１、４１、５１は洗浄ブラシ、１２、２２、３２、４２、５２は芯体、１３、２３、３３、４３、５３は被覆体、１４、２４、３４、５４は凹部、１５、２５、３５、５５は凸部である。
【００１２】
本発明の実施の形態の他の実施例の洗浄ブラシ１１は、図４の如く、芯体１２、及び被覆体１３より形成されてある。芯体１２は、略円形状の断面を有して、複数、被覆体１３の内部に形成されてあると共に、被覆体１３は、略連続突起形状の断面を有し、外面には、凹部１４、及び凸部１５が形成されてある。
【００１３】
本発明の実施の形態の他の実施例の洗浄ブラシ１１は、上記の如くの構成となっているので、洗浄ブラシ１１の使用時においては、熱可塑性樹脂あるいは熱硬化性樹脂よりなる被覆体１３が、被洗浄面にたいして接触する。被覆体１３の外面には、凹部１４、及び凸部１５が形成されてある為、被洗浄面の汚れにたいして、凸部１５は、凹部１４よりも強い圧力で、接触する。その為、凸部１５は、被洗浄面の汚れを剥ぎ取り、洗浄ブラシ１１は、高い洗浄力を発揮することができる。また、凹部１４は、洗浄水等を保持することができる為、保水性を高めることができると共に、被洗浄面を傷つけることが無い。
【００１４】
また、本発明の実施の形態の他の実施例の洗浄ブラシ２１は、図５の如く、芯体２２、及び被覆体２３より形成されてある。芯体２２は、略円形状の断面を有して、複数、被覆体２３の内部に形成されてあると共に、被覆体２３は、略長円形状の断面を有し、外面には、凹部２４、及び凸部２５が形成されてある。
【００１５】
また、本発明の実施の形態の他の実施例の洗浄ブラシ３１は、図６の如く、芯体３２、及び被覆体３３より形成されてある。芯体３２は、略円形状の断面を有して、複数、被覆体３３の内部に形成されてあると共に、被覆体３３は、略Ｗ字形状の断面を有し、外面には、凹部３４、及び凸部３５が形成されてある。
【００１６】
本発明の実施の形態の他の実施例の洗浄ブラシ２１、３１は、上記の如くの構成となっているので、洗浄ブラシ２１、３１の使用時においては、洗浄ブラシ１１と同様に、高い洗浄力を発揮することができると共に、凸部２５、３５が、被洗浄面にたいして強く付着している汚れを、引っ掛けることにより、剥ぎ取ることができる。
【００１７】
また、本発明の実施の形態の他の実施例の洗浄ブラシ４１は、図７の如く、芯体４２、及び被覆体４３より形成されてある。芯体４２は、略円形状の断面を有して、複数、被覆体４３の内部に形成されてあると共に、被覆体４３は、略円形状の断面を有して形成されてある。
【００１８】
本発明の実施の形態の他の実施例の洗浄ブラシ４１は、上記の如くの構成となっているので、洗浄ブラシ４１の使用時においては、複数の芯体４２が、略円形状の断面を有する被覆体４３の内部に形成されてある為、洗浄ブラシ４１の強度を高くすることができる。
【００１９】
また、本発明の実施の形態の他の実施例の洗浄ブラシ５１は、図８の如く、芯体５２、及び被覆体５３より形成されてある。芯体５２は、略円形状の断面を有して、複数、被覆体５３の内部に形成されてあると共に、被覆体５３は、略円形状の断面を有し、外面には、放射状になるよう、凹部５４、及び凸部５５が形成されてある。
【００２０】
本発明の実施の形態の他の実施例の洗浄ブラシ５１は、上記の如くの構成となっているので、洗浄ブラシ５１の使用時においては、複数の芯体５２が、略円形状の断面を有する被覆体５３の内部に形成されてあると共に、外面には、放射状になるよう、凹部５４、及び凸部５５が形成されてある為、洗浄ブラシ５１の強度を高くすることができると共に、凸部５５が、被洗浄面にたいして強く付着している汚れを、引っ掛けることにより、剥ぎ取ることができる。
【００２１】
【発明の効果】
本発明の実施の形態の洗浄ブラシは、上記の如くの構成となっているので、洗浄ブラシの使用時においては、熱可塑性樹脂あるいは熱硬化性樹脂よりなる被覆体が、被洗浄面にたいして接触する。洗浄ブラシは、被覆体の内部に、複数の芯体が形成されてある為、被覆体に使用されてある材質の有する耐久性や洗浄性にたいして、芯体に使用されてある材質の有する強度等が加えられることにより、被覆体のみにて形成した場合の洗浄ブラシに比べて、より高い強度が得られると共に、耐久性や洗浄性も向上させることができる。また、被覆体が劣化することにより芯体が外部に露出した場合や、例えば、芯体の先端を所定の長さだけ外部に露出させて製作した場合には、芯体の先端部が、先割れ形状に形成されることにより、被洗浄面にたいして、洗浄ブラシを柔らかく接触させて使用することができる。また、芯体及び被覆体に使用されてある材質を、洗浄ブラシの使用目的に応じて、適時設定することにより、芯体及び被覆体の材質が有する長所や短所を、互いに補い合って、より強度が高く、かつ耐久性や洗浄性も高い洗浄ブラシを製作することができる。さらにまた、芯体の材質として、導電繊維を使用した場合には、洗浄ブラシの使用時に、被洗浄面に発生した静電気を除去することができ、洗浄性を向上させることができる。
【００２２】
また、本発明の実施の形態の他の実施例の洗浄ブラシとして、略連続突起形状の断面を有し、外面に、凹部及び凸部が形成されてある被覆体を使用した場合には、被洗浄面の汚れにたいして、凸部は、凹部よりも強い圧力で、接触する。その為、凸部は、被洗浄面の汚れを剥ぎ取り、洗浄ブラシは、高い洗浄力を発揮することができる。また、凹部は、洗浄水等を保持することができる為、保水性を高めることができると共に、被洗浄面を傷つけることが無い。
【００２３】
また、本発明の実施の形態の他の実施例の洗浄ブラシとして、略長円形状の断面あるいは略Ｗ字形状の断面を有し、外面に、凹部及び凸部が形成されてある被覆体を使用した場合には、洗浄ブラシは、高い洗浄力を発揮することができると共に、凸部が、被洗浄面にたいして強く付着している汚れを、引っ掛けることにより、剥ぎ取ることができる。
【００２４】
また、本発明の実施の形態の他の実施例の洗浄ブラシとして、略円形状の断面を有して形成されてある被覆体を使用した場合には、洗浄ブラシの強度を高くすることができる。
【００２５】
また、本発明の実施の形態の他の実施例の洗浄ブラシとして、略円形状の断面を有し、外面に、放射状になるよう、凹部及び凸部が形成されてある被覆体を使用した場合には、洗浄ブラシの強度を高くすることができると共に、凸部が、被洗浄面にたいして強く付着している汚れを、引っ掛けることにより、剥ぎ取ることができる。
【図面の簡単な説明】
【図１】本発明の実施の形態の洗浄ブラシを前面側から見た斜視図である。
【図２】図１の洗浄ブラシの断面図である。
【図３】図１の洗浄ブラシの製造方法を示す斜視図である。
【図４】本発明の他の実施例の洗浄ブラシの断面図である。
【図５】本発明の他の実施例の洗浄ブラシの断面図である。
【図６】本発明の他の実施例の洗浄ブラシの断面図である。
【図７】本発明の他の実施例の洗浄ブラシの断面図である。
【図８】本発明の他の実施例の洗浄ブラシの断面図である。
【符号の説明】
１、１１、２１、３１、４１、５１  洗浄ブラシ
２、１２、２２、３２、４２、５２  芯体
３、１３、２３、３３、４３、５３  被覆体  １０  押出し成形装置
１４、２４、３４、５４  凹部  １５、２５、３５、５５  凸部
【図１】
2004154519.tif 000003
【図２】
2004154519.tif 000004
【図３】
2004154519.tif 000005
【図４】
2004154519.tif 000006
【図５】
2004154519.tif 000007
【図６】
2004154519.tif 000008
【図７】
2004154519.tif 000009
【図８】
2004154519.tif 000010